(57)【要約】  本発明は、パケットデータサービスを支援する移動通信システムで、使用者端末が前記パケットデータを受信する方法を提供する。前記方法では、無線網制御器がコアネットワークからセッション開始メッセージを受信し、使用者端末の位置する周波数領域がＭＢＭＳサービスを支援するかどうかを判断して、前記使用者端末が前記ＭＢＭＳサービスを支援しない周波数領域に位置する場合、前記使用者端末が前記ＭＢＭＳサービスを支援する周波数領域へ移動するのに用いられるセル再選択情報を含む通知メッセージを、前記使用者端末に伝送する。
2007500469.tif 000002
【特許請求の範囲】
【請求項１】
移動通信システムでパケットデータを受信する方法であって、
無線網制御器が、前記パケットデータサービスを支援しないセルに位置している使用者端末に対して、前記使用者端末が前記パケットデータサービスを支援する新たなセルへ移動するのに用いられるセル再選択情報を決定するステップと、
前記パケットデータサービスを支援するための無線資源を割当てるステップと、
前記使用者端末が決定された前記セル再選択情報に応じて、割当てられた前記無線資源を通して前記パケットデータを受信するステップと、
を備えることを特徴とする方法。
【請求項２】
前記セル再選択情報は、前記パケットデータサービスを支援する新たなセルの周波数情報を含むことを特徴とする請求項１に記載の方法。
【請求項３】
前記セル再選択情報は、前記パケットデータサービスを支援する新たなセルの識別子を含むことを特徴とする請求項１に記載の方法。
【請求項４】
前記セル再選択情報は、前記パケットデータサービスを支援する新たなセルに関する情報を含むことを特徴とする請求項１に記載の方法。
【請求項５】
移動通信システムでパケットデータを支援しないセルに位置する使用者端末がパケットデータを受信する方法であって、
無線網制御器から要請したパケットデータに対応する通報メッセージを受信するステップと、
前記通報メッセージから前記パケットデータサービスを支援する新たなセルへ移動するためのセル再選択情報を確認するステップと、
前記セル再選択情報に応じて前記新たなセルに割当てられた無線資源を通して前記パケットデータを受信するステップと、
を備えることを特徴とする方法。
【請求項６】
前記使用者端末が前記通報メッセージから前記セル再選択情報を確認した後に、前記セル再選択情報が存在しなければ、前記無線網制御器に前記セル再選択情報の再伝送を要求するステップをさらに含むことを特徴とする請求項５に記載の方法。
【請求項７】
前記使用者端末は、前記通報メッセージに含まれている周波数情報を用いて前記パケットデータを提供する新たなセルへ移動するためのセル再選択を行うことを特徴とする請求項５に記載の方法。
【請求項８】
前記使用者端末は、前記通報メッセージに含まれているセル識別子を用いて前記パケットデータを提供する新たなセルへ移動するためのセル再選択を行うことを特徴とする請求項５に記載の方法。
【請求項９】
前記使用者端末は、前記通報メッセージに含まれているセル関連情報を用いて前記パケットデータを提供する新たなセルへ移動するためのセル再選択を行うことを特徴とする請求項５に記載の方法。
【請求項１０】
移動通信システムでＭＢＭＳ(Multimedia Broadcast/Multicast Service)サービスを支援しない周波数領域(ＦＡ)に位置した使用者端末が、前記ＭＢＭＳサービスを受信する方法であって、
無線網制御器から通知メッセージを受信するステップと、
前記通知メッセージのサービス識別子(ＩＤ)を確認するステップと、
前記通知メッセージが、前記使用者端末で要請したＭＢＭＳサービスに対する通知メッセージであるかどうかを判定するステップと、
前記通知メッセージが前記使用者端末で要請したＭＢＭＳサービスに対する通知メッセージであれば、前記通知メッセージから前記ＭＢＭＳサービスを支援する周波数領域を再選択するための情報を確認するステップと、
前記確認情報に基づいて前記周波数領域に割当てられた無線資源を通して前記ＭＢＭＳサービスを受信するステップと、
を備えることを特徴とする方法。
【請求項１１】
前記通知メッセージは、前記ＭＢＭＳサービスを支援する周波数領域を再選択するための情報であり、前記ＭＢＭＳサービスを支援する周波数領域の周波数情報、セル識別子及びセル専用情報を含むことを特徴とする請求項１０に記載の方法。
【請求項１２】
前記周波数情報は、前記ＭＢＭＳサービスを支援するための周波数領域の上りリンク及び下りリンクのチャンネル情報を含むことを特徴とする請求項１１に記載の方法。
【請求項１３】
前記セル識別子は、前記ＭＢＭＳサービスを支援するための周波数領域の当該セルを示す識別子情報であることを特徴とする請求項１１に記載の方法。
【請求項１４】
前記セル専用情報は、前記ＭＢＭＳサービスを支援する周波数領域のＰ-ＣＰＩＣＨ(primary common pilot channel)のプライマリースクランブリングコードを示す情報であることを特徴とする請求項１１に記載の方法。
【請求項１５】
前記通知メッセージは、前記使用者端末が位置した周波数領域の前記ＭＢＭＳサービス支援有無を示すＮＳＡ/ＳＡ(none service area/service area)識別子をさらに含むことを特徴とする請求項１１に記載の方法。
【請求項１６】
移動通信システムで無線網制御器がＭＢＭＳサービスを支援する方法であって、
コアネットワークから前記ＭＢＭＳサービスの開始を知らせるメッセージを受信するステップと、
前記ＭＢＭＳを支援しない周波数領域(ＦＡ)に位置している使用者端末に、前記ＭＢＭＳサービスを支援する周波数領域を再選択するための情報を伝送するステップと、
前記ＭＢＭＳサービスを支援する無線資源を前記使用者端末に割当てるステップと、
を備えることを特徴とする方法。
【請求項１７】
前記無線網制御器は、前記使用者端末へ前記ＭＢＭＳサービスを支援する周波数領域の周波数情報、セル識別子及びセル専用情報を含む通知メッセージを伝送することを特徴とする請求項１６に記載の方法。
【請求項１８】
前記無線網制御器は、前記使用者端末へ前記ＭＢＭＳサービス識別子と、前記使用者端末が位置した周波数領域のサービス支援有無を示す識別子とをさらに含む通知メッセージを伝送することを特徴とする請求項１７に記載の方法。
【請求項１９】
移動通信システムで使用者端末にＭＢＭＳサービスを送信する方法であって、
無線網制御器でコアネットワークからセッション開始メッセージを受信するステップと、
前記使用者端末の位置する周波数領域(ＦＡ)が前記ＭＢＭＳサービスを支援するかどうかを判断するステップと、
前記使用者端末が前記ＭＢＭＳサービスを支援しない周波数領域に位置する場合、前記使用者端末が前記ＭＢＭＳサービスを支援する周波数領域へ移動するのに用いられるセル再選択情報を含む通知メッセージを、前記使用者端末に伝送するステップと、
前記使用者端末が前記通知メッセージに応じて前記ＭＢＭＳサービスを支援する周波数領域の無線資源を通して前記ＭＢＭＳサービスを受信するステップと、
を備えることを特徴とする方法。
【請求項２０】
前記通知メッセージは、前記使用者端末の位置する周波数領域が前記ＭＢＭＳサービスを支援するかどうかを示す識別子をさらに含むことを特徴とする請求項１９に記載の方法。
【請求項２１】
前記通知メッセージは、前記ＭＢＭＳサービスを支援する周波数領域を再選択するための前記セル再選択情報であり、周波数情報、セル識別子及びセル専用情報を含むことを特徴とする請求項１９に記載の方法。
【請求項２２】
移動通信システムで無線網制御器が使用者端末に前記パケットデータサービスを提供するように無線資源を割当てる方法であって、
前記使用者端末の位置するセルが前記パケットデータサービスを支援するセルであるかどうかを判断するステップと、
前記使用者端末が前記パケットデータサービスを支援しないセルに位置していると判断されれば、前記使用者端末に前記パケットデータサービスを支援するセルで使用する無線資源に対する情報を通報するステップと、
前記使用者端末が通報した前記無線資源による前記パケットデータサービスを要請すれば、前記使用者端末に前記パケットデータサービスを支援するセルで使用する無線資源を割当てるステップと、
を備えることを特徴とする方法。
【請求項２３】
前記無線資源に対する情報は、前記パケットデータサービスを支援するセルのサービス識別子、周波数情報、セル識別子及びセル専用情報を含むことを特徴とする請求項２２に記載の方法。
【発明の詳細な説明】
【技術分野】
【０００１】
本発明はパケットデータサービスに係り、特に、一つの領域に複数のセルが重なるとき、少なくとも一つのセルを選択して一つのパケットデータサービスを提供する場合、前記領域に位置している使用者端末が、前記パケットデータサービスを受信することができる方法に関する。
【背景技術】
【０００２】
図１は、一般的な移動通信システムの構造を概略的に示した図である。図１において、前記移動通信システムはＵＭＴＳ(Universal Mobile Terrestrial System)移動通信システムであって、コアネットワーク(ＣＮ:Core Network)１００、複数の無線ネットワークサブシステム(ＲＮＳ:Radio Network Subsystem)１１０，１２０及び使用者端末(ＵＥ:User Element)１３０を備える。前記ＲＮＳ１１０及びＲＮＳ１２０は無線ネットワーク制御器(ＲＮＣ:Radio Network Controller)及び複数の基地局(Node B)で構成される。例えば、前記ＲＮＳ１１０は前記ＲＮＣ１１１、基地局１１３及び基地局１１５で構成され、前記ＲＮＳ１２０は前記ＲＮＣ１１２、基地局１１４及び基地局１１６で構成される。
【０００３】
さらに、前記ＲＮＣ１１１，１１２は、その動作に応じてServing ＲＮＣ(以下、ＳＲＮＣと称する)、Drift ＲＮＣ(以下、ＤＲＮＣと称する)あるいはControlling ＲＮＣ(以下、ＣＲＮＣと称する)に分類される。前記ＳＲＮＣは各ＵＥの情報を管理し、前記ＣＮ１００とのデータ伝送を制御するＲＮＣである。さらに、前記ＤＲＮＣは、ＵＥのデータが前記ＳＲＮＣでない他のＲＮＣを通してＳＲＮＣに送受信される場合、前記他のＲＮＣとなる。
【０００４】
前記ＣＲＮＣは各基地局を制御するＲＮＣである。図１に示したように、前記ＵＥ１３０の情報をＲＮＣ１１１が管理すれば、前記ＲＮＣ１１１が前記ＵＥ１３０に対するＳＲＮＣとして動作し、前記ＵＥ１３０が移動してＵＥ１３０のデータが前記ＲＮＣ１１２を通して送受信されれば、前記ＲＮＣ１１２は前記ＵＥ１３０に対するＤＲＮＣとなり、前記ＵＥ１３０と通信している基地局１１３を制御するＲＮＣ１１１は前記基地局１１３のＣＲＮＣとなる。
【０００５】
前記ＲＮＣと基地局はＩｕｂインターフェースを通して連結されており、前記ＲＮＣとＲＮＣはＩｕｒインターフェースを通して互いに連結されている。さらに、前記ＵＥとＵＴＲＡＮはＵｕインターフェースで連結されている。
【０００６】
前記ＲＮＣは自分で管理する複数の基地局に対して無線資源を割当て、前記基地局は前記使用者端末に前記ＲＮＣから割当てられた無線資源を提供する。前記無線資源は各セルで構成されており、前記基地局が提供する無線資源は前記基地局で管理する特定のセルに関する無線資源を示す。
【０００７】
前記使用者端末は前記基地局で管理する特定のセルに関する無線資源を用いて無線チャンネルを設定し、前記設定された無線チャンネルを用いてデータを送受信する。したがって、前記使用者端末は各セルで構成される物理チャンネルのみを認識するので、基地局とセルとの区別は無意味である。以下、前記基地局とセルを混用して使用する。
【０００８】
マルチキャスティングマルチメディア通信を支援するために、一つのデータソースから多数の使用者端末機(User Equipment;ＵＥ)へサービスを提供する放送/マルチキャストサービス(Broadcast/Multicast Service)がある。前記放送/マルチキャストサービスは、メッセージ中心のサービスであるセル放送サービス(Cell Broadcast Service;ＣＢＳサービス)と、実時間映像及び音声、静止映像、文字などのマルチメディア形態を支援するマルチメディアブロードキャスト/マルチキャストサービス(Multimedia Broadcast/Multicast Service;ＭＢＭＳ)とに分けられる。
【０００９】
図２は、移動通信システムでＭＢＭＳサービスを提供するためのネットワークの構造を概略的に示した図である。
【００１０】
図２を参照すれば、マルチキャスト/放送-サービスセンター(ＢＭ-ＳＣ;Broadcast/Multicast-Service Center)２１０はＭＢＭＳストリームを提供し、ＭＢＭＳサービスに対するストリームをスケジューリング(scheduling)して伝送ネットワーク２２０に伝える。前記伝送ネットワーク２２０は、前記ＢＭ-ＳＣ２１０とサービスパケット無線サービス支援ノード(ＳＧＳＮ;Serving GPRS Support Node)２３０との間に存在するネットワークを示し、前記ＢＭ-ＳＣ２１０から伝えられたＭＢＭＳサービスに対するストリームを前記ＳＧＳＮ２３０に伝える。ここで、前記ＳＧＳＮ２３０はゲートウェイパケット無線サービス支援ノード(ＧＧＳＮ；Gateway GPRS Support Node)と外部ネットワークなどで構成され、任意の時点で前記ＭＢＭＳサービスを受信しようとする多数のＵＥ、例えば、セル１(Node B1)２６０に属するＵＥ２６１、ＵＥ２６２、ＵＥ２６３と、セル２(Node B2)２７０に属するＵＥ２７１、ＵＥ２７２とが存在すると仮定する。
【００１１】
前記伝送ネットワーク２２０からＭＢＭＳサービスに対するストリームを受けたＳＧＳＮ２３０は、ＭＢＭＳサービスを受けようとする加入者、すなわち、ＵＥのＭＢＭＳ関連サービスを制御する役割、例えば、加入者の各々のＭＢＭＳサービス課金関連データを管理すると共に、ＭＢＭＳサービスデータを特定の無線ネットワーク制御器(ＲＮＣ)２４０に選別的に伝送することのようなＭＢＭＳ関連サービスを制御する。さらに、前記ＳＧＳＮ２３０は、前記ＭＢＭＳサービスＸに関するＳＧＳＮサービスコンテキストを構成して管理し、前記ＭＢＭＳサービスに対するストリームを再び前記ＲＮＣ２４０に伝える。
【００１２】
前記ＲＮＣ２４０は多数のNode Ｂを制御し、自分で管理しているNode Ｂのうち、ＭＢＭＳサービスを要求するＵＥが存在するNode ＢにＭＢＭＳサービスデータを伝送し、前記ＭＢＭＳサービスを提供するために設定される無線チャンネルを制御し、かつ、前記ＳＧＳＮ２３０から伝えられたＭＢＭＳサービスに対するストリームを用いて前記ＭＢＭＳサービスＸに関するＲＮＣサービスコンテキストを構成して管理する。さらに、図２に示したように、一つのNode Ｂ、例えば、Node Ｂ ２６０とＵＥ２６１，２６２，２６３にＭＢＭＳサービスを提供するために一つの無線チャンネルのみが割当てられる。その上、ＨＬＲ(Home Location Register)は前記ＳＧＳＮ２３０と連結されてＭＢＭＳサービスのための加入者認証を行う。
【００１３】
図３は、ＲＮＣとＭＢＭＳサービスを要請するＵＥとの間でＭＢＭＳサービスを行う過程を示した図である。前記ＲＮＣは、前記ＭＢＭＳサービスを基地局を通じて前記ＭＢＭＳサービスを要請する当該ＵＥに、前記ＭＢＭＳサービスを提供する。ここで、前記ＭＢＭＳサービスは基地局を通じて行われることが明らかである。前記ＭＢＭＳサービスのために伝送されるＭＢＭＳ制御メッセージについても説明する。
【００１４】
図３を参照すれば、前記ＵＥ３００は前記当該ＭＢＭＳサービスを受けようとするＵＥであり、前記ＲＮＣ３０２は前記ＭＢＭＳサービスを伝送するＲＮＣである。四つのステップは通知(Announcement)、加入、通報(Notification)及び無線ベアラー(Radio Bearer)設定過程で順次行われる。以下、前記四つのステップについて図３を参照して説明する。
【００１５】
前記通知過程であるステップ３３１で、前記ＳＧＳＮ３０４は前記ＵＥ３００にＭＢＭＳサービスの開始時間を知らせる。すなわち、前記通知に対する情報には、ＭＢＭＳサービスの種類、前記ＭＢＭＳサービスの開始時間情報及び持続時間などが含まれる。
【００１６】
前記ＳＧＳＮ３０４のＭＢＭＳサービス通知に応じて前記ＭＢＭＳサービスを要請するＵＥ３００は、ステップ３４１で、前記ＳＧＳＮ３０４との加入過程を行う。その加入過程で、前記ＵＥ３００は前記ＳＧＳＮ３０４に対して加入を要求する加入要求メッセージを伝送する。前記加入要求メッセージには、前記ＳＧＳＮ３０４から伝送されたＭＢＭＳサービスリストのうち、前記ＵＥ３００がサービスを受けようとする特定のＭＢＭＳサービスの識別コードと、前記ＭＢＭＳサービスを要請するＵＥの識別子(ＵＥ ＩＤ)とが含まれる。
【００１７】
さらに、ステップ３４１で、前記ＳＧＳＮ３０４はＭＢＭＳサービスを要請したＵＥ３００の認証過程を行い、前記認証過程で前記ＵＥ３００に前記ＭＢＭＳサービスの受信可否を通報する。前記ＳＧＳＮ３０４は前記ステップ３４１を行うことにより、前記特定のＭＢＭＳサービスを受けようとするＵＥのリストと前記ＵＥの位置とを貯蔵する。
【００１８】
前記移動通信システムでは、前記ＭＢＭＳサービスに対する加入過程を完了すれば、通報過程(ステップ３５１，３５２，３６１)を行う。詳しくは、ＢＭ-ＳＣが前記ＭＢＭＳサービスの開始を知らせると、前記ＳＧＳＮ３０４はステップ３５１で前記加入過程を行ったＵＥ３００が位置しているＲＮＣ３０２にセッション開始メッセージを伝送する。ステップ３５２で、前記ＲＮＣ３０２は、前記ＭＢＭＳサービスを受信するＵＥ３００を呼び出すために、通報メッセージをＳ-ＣＣＰＣＨ(Secondary-Common Control Channel)のような共通チャンネルを用いて伝送する。前記通報は、前記ＳＧＳＮが前記ＭＢＭＳサービスを要請する当該ＵＥ３００に前記ＭＢＭＳサービスの開始を知らせる過程である。前記通報メッセージの伝送を通じて複数のＵＥが呼び出されるので、ステップ３５２は既存の呼び出し手続きとは異なる意味の集団呼出(Group Paging)過程と呼ばれる。前記通報メッセージはＭＣＣＨ(MBMS control channel)を通して伝送されうる。
【００１９】
ステップ３６１では、ステップ３５２で呼び出されたＵＥ３００が前記通報メッセージに対する応答メッセージを伝送する。前記応答メッセージの伝送を通して前記ＲＮＣ３０２はセルごとにＭＢＭＳサービスを受信しようとするＵＥの数を把握し、当該セルの無線チャンネルの種類を決定することができる。前記ＲＮＣ３０２は、前記ＭＢＭＳサービスを受信しようとする全てのＵＥの数をカウントする代わりに、ちょうどチャンネル種類を判定するための臨界値を満足させる個数までＵＥをカウントする。特定のセルに含まれている多数のＵＥがＭＢＭＳサービスを受けようとする場合、共通チャンネルを介してＭＢＭＳサービスが提供される。しかしながら、ＭＢＭＳサービスを受けようとするＵＥの数がわずかであるセルに対しては、各ＵＥに専用チャンネルを構成してＭＢＭＳサービスを提供できる。
【００２０】
前記通報関連過程を行った前記ＭＢＭＳサービスを要請するＵＥ３００は、ステップ３７１で、前記ＲＮＣ３０２がＭＣＣＨを介して伝送する無線ベアラー情報を用いて前記無線ベアラー設定を行う。前記無線ベアラー設定過程は、前記ＭＢＭＳサービスを提供するために無線資源を実際に割当て、その情報を関連装置に知らせる過程である。さらに、前記無線ベアラー設定過程では、前記受信されたＭＢＭＳサービスをエラーなしに受信するＭＢＭＳ無線ベアラー情報が伝送される。すなわち、前記ＵＥ３００は前記伝送されたＭＢＭＳサービスを前記ＭＢＭＳ無線ベアラー情報を用いてエラーなしに復元することができる。前記ＭＢＭＳ無線ベアラー情報には、無線チャンネル情報、例えば、ＯＶＳＦコード情報、伝送フォーマット情報、ＲＬＣ(Radio Link Control)情報及びＰＤＣＰ(Packet Data Convergence Control)情報などが含まれる。前記情報に対する詳細は３ＧＰＰ ＴＳ ２６．３３１に開示されている。
【００２１】
前記無線ベアラー設定過程が完了されれば、特定のＭＢＭＳサービスを受信しようとする全てのＵＥは、前記ＭＢＭＳサービスが提供される無線リンク関連情報と前記ＭＢＭＳサービスが処理される上位階層情報とを認知するようになる。
【００２２】
ステップ３８１で、前記ＲＮＣ３０２が前記ＳＧＳＮ３０４から伝えられたＭＢＭＳデータを、設定されたＭＢＭＳ ＲＢを通して伝送すれば、前記ＵＥ３００が前記ＭＢＭＳ ＲＢを通して提供されるＭＢＭＳデータを受信する。
【００２３】
上述したように、前記ＭＣＣＨはＭＢＭＳ関連制御情報が提供されるチャンネルであり、前記チャンネルの正確な特徴については論議されているが、まだ決定されたことはない。今までの論議によれば、ＭＣＣＨは次のような特徴を有すると見込まれる。
【００２４】
１. ＭＣＣＨはセル当たり一つが構成される。
２. ＭＣＣＨはＳ-ＣＣＰＣＨのような共通物理チャンネルを介して伝送される。
３. ＵＥはセル毎に割当てられているＭＣＣＨに対する情報を、システム情報として得ることができる。
【００２５】
図４は、一つの領域に複数の周波数領域（ＦＡ：Frequency Area)が重なる構造を示している。図４に示したように、一つのＲＮＣは少なくとも一つ以上のＦＡを備え、複数のＦＡが同じ領域でＭＢＭＳサービスを行える。すなわち、同じＭＢＭＳデータを同じ領域でサービスする場合に、相異なる無線資源を用いる。
【００２６】
より詳しくは、図４は四つのＦＡ１〜ＦＡ４(４０１〜４０４)で構成されている。前記四つのＦＡは同じ領域に対して一つのＭＢＭＳデータをサービスする。前記四つのＦＡのうち、いずれか一つのＦＡに含まれている使用者端末は、前記使用者端末が含まれているＦＡから伝えられるＭＢＭＳデータを受信することができる。すなわち、前記領域は地理的概念の観点では一つの領域であるが、前記ＭＢＭＳデータを支援するＦＡの観点では相異なる周波数を有する四つのセルで構成される。
【００２７】
上述した一つの領域に対して複数のＦＡが重なり、前記複数のＦＡの各々は少なくとも一つ以上の使用者端末に同じＭＢＭＳデータをサービスすると仮定する。この場合、同じＭＢＭＳデータに対して複数の無線資源を用いることにより、無線資源の浪費をもたらす。
【００２８】
したがって、一つの領域に対して複数のＦＡが重なると、複数のＦＡのうち、一つ以上のＦＡを選択してＭＢＭＳデータを提供しうる。さらに、一つの領域を重畳使用する複数のＦＡのうち特定のＦＡで前記ＭＢＭＳサービスが不可能な場合、前記ＭＢＭＳサービスが不可能なＦＡに含まれている前記使用者端末は、前記ＭＢＭＳサービスを受けないという問題点がある。
【００２９】
図４を参照すれば、前記ＦＡ４０２のみが前記ＭＢＭＳサービスを支援することができ、前記ＦＡ４０１，４０３，４０４は前記ＭＢＭＳサービスを支援しなければ、前記ＦＡ４０１，４０３，４０４に含まれている使用者端末は前記ＭＢＭＳサービスを受けることができない。したがって、前記ＭＢＭＳを支援しないＦＡに含まれている使用者端末においても、前記ＭＢＭＳサービスを受けることを可能にする方案が論議されている。
【非特許文献１】３ＧＰＰ ＴＳ ２６．３３１仕様書
【発明の開示】
【発明が解決しようとする課題】
【００３０】
上述した従来の技術の問題点を解決するための本発明の目的は、同じ領域に複数のセルが重なる場合、前記複数のセルの各々で管理する無線資源を効率よく使用できる方法を提供することにある。
【００３１】
本発明の他の目的は、前記同じ領域に対してパケットデータサービスを支援しないセルと前記パケットデータサービスを支援するセルとが重畳して位置する場合、前記パケットデータサービスを支援しないセルに含まれている使用者端末が前記パケットデータサービスを受けるようにする方法を提供することにある。
【００３２】
さらに、本発明のさらに他の目的は、前記使用者端末が、前記使用者端末を含んでいるセルが前記パケットデータサービスを支援するセルであるかどうかを判断する方法を提供することにある。
【課題を解決するための手段】
【００３３】
前記目的を達成するための本発明の一つの側面によれば、移動通信システムにおけるパケットデータを受信する方法を提供する。前記方法は、前記パケットデータサービスを支援しないセルに位置している使用者端末に、前記パケットデータサービスを支援するセルへ移動するためのセル再選択情報を通報するステップと、前記パケットデータサービスを支援するための無線資源を割当てるステップと、通報された前記セル再選択情報に応じて割当てられた前記無線資源を通して前記パケットデータを受信するステップと、を含むことを特徴とする。
【００３４】
本発明の他の側面によれば、移動通信システムでＭＢＭＳサービスを支援しない周波数領域に位置している使用者端末がＭＢＭＳサービスを受信する方法を提供する。前記方法は、無線網制御器から通報メッセージを受信するステップと、前記通報メッセージのサービス識別子を確認するステップと、前記通知メッセージが、前記使用者端末で要請したＭＢＭＳサービスに対する通知メッセージであるかどうかを判定するステップと、その結果、前記通知メッセージが前記使用者端末で要請したＭＢＭＳサービスに対する通知メッセージであれば、前記通知メッセージから前記ＭＢＭＳサービスを支援する周波数領域を再選択するための情報を確認するステップと、前記確認情報に基づいて前記周波数領域に割当てられた無線資源を通して前記ＭＢＭＳサービスを受信するステップと、を含むことを特徴とする。
【００３５】
本発明のさらに他の側面によれば、移動通信システムで使用者端末にＭＢＭＳサービスを送信する方法を提供する。前記方法は、コアネットワークからセッション開始メッセージを受信し、前記使用者端末の位置する周波数領域(ＦＡ)が前記ＭＢＭＳサービスを支援するかどうかを判断するステップと、前記使用者端末が前記ＭＢＭＳサービスを支援しない周波数領域に位置する場合、前記使用者端末が前記ＭＢＭＳサービスを支援する周波数領域へ移動するのに用いられるセル再選択情報を含む通知メッセージを、前記使用者端末に伝送するステップと、前記通知メッセージに応じて前記ＭＢＭＳサービスを支援する周波数領域の無線資源を通して前記ＭＢＭＳサービスを受信するステップと、を含むことを特徴とする。
【発明の効果】
【００３６】
上述したように、本発明によれば、同じ領域に対してパケットデータサービスを支援しないセルと前記パケットデータサービスを支援するセルとが重畳位置する場合、前記パケットデータサービスを支援するセルに関する無線資源情報を、前記パケットデータサービスを支援しないセルに含まれている使用者端末に通報する。したがって、一つの無線資源を用いて特定の領域に位置している使用者端末を支援することにより、前記パケットデータサービスのための無線資源を効率的に管理することができる。
【発明を実施するための最良の形態】
【００３７】
以下、本発明の好適な一実施形態を添付図面を参照して詳細に説明する。下記の説明において、本発明の要旨のみを明瞭にする目的で、関連した公知の機能又は構成に関する具体的な説明は省略する。
【００３８】
図５は、本発明の一実施形態に従い、ＭＢＭＳサービスを支援しないＦＡに含まれている使用者端末に、前記ＭＢＭＳサービスを支援する過程を示した図である。詳しくは、図５は、ＭＢＭＳサービスを支援するＳＧＳＮ５２１とＲＮＣ５１１、前記ＲＮＣ５１１から提供される前記ＭＢＭＳサービスを支援できるＦＡと、前記ＭＢＭＳサービスを支援できないＦＡとに位置する多数の使用者端末(５０１〜５０３)を示している。この際、前記ＭＢＭＳサービスを支援できるＦＡと、前記ＭＢＭＳサービスを支援できないＦＡとは少なくとも一つ以上のＵＥを備えている。
【００３９】
図５を参照すれば、前記ＭＢＭＳサービスを支援できるＦＡと該ＦＡに含まれているＵＥは参照符号５０１で表示され、前記ＭＢＭＳサービスを支援できないＦＡと該ＦＡに含まれているＵＥは参照符号５０２，５０３で表示されている。
【００４０】
前記ＭＢＭＳサービスを当該ＵＥへ伝送するためには、図３に示したように、サービス通知、加入、通報及び無線ベアラー設定過程が順次行われる。しかしながら、図５では、前記サービス通知及び加入過程の記載を省略したが、前記サービス通知及び加入過程が前記通報過程以前に行われるべきことは明らかである。
【００４１】
前記サービス通知過程及び前記加入過程を行った後に、ステップ５３１で、前記ＳＧＳＮ５２１は前記ＲＮＣ５１１にセッション開始メッセージを伝送する。前記セッション開始メッセージは、サービスが直ちに提供される当該ＭＢＭＳサービスのサービス識別子(ＩＤ)、前記ＭＢＭＳサービス品質(ＱｏＳ)パラメータなどに関する情報を含む。前記セッション開始メッセージを受信した前記ＲＮＣ５１１は、前記ＭＢＭＳサービスを支援できるＦＡと、前記ＭＢＭＳサービスを支援できないＦＡとに区分し、前記区分されたＦＡに対して相異なる通報メッセージを伝送する。ステップ５４１で、前記ＲＮＣ５１１は、前記ＭＢＭＳサービスを支援できるＦＡに含まれているＵＥ５０１に対して通報メッセージを伝送する。前記通報メッセージは、前記ＭＢＭＳサービスＩＤと、前記ＵＥ(５０１〜５０３)の位置した当該ＦＡにおける前記ＭＢＭＳサービス支援有無を区分するための識別子(ＮＳＡ(None Service Area)/ＳＡ(Service Area)indicator)と、資源可用性識別子(resource availability indicator)などとを含む。すなわち、ステップ５４１で、前記ＲＮＣ５１１はＮＳＡ/ＳＡ識別子をＳＡに設定して前記通知メッセージを伝送する。
【００４２】
ここで、前記ＮＳＡ/ＳＡ識別子はＭＢＭＳサービスに応じて定義される。この際、任意のＦＡがＳＡに設定されるとは、前記ＭＢＭＳサービスが現在行われているか、あとでサービス支援が可能な領域であることを示す。しかしながら、前記任意のＦＡがＮＳＡに設定されるとは、現在、あるいは、あとで前記ＭＢＭＳサービスの支援が不可能な領域であることを示す。
【００４３】
さらに、前記資源可用性識別子は、現在、セルがＭＢＭＳサービスのためのＳＡに属している場合、前記ＭＢＭＳのサービスが可能な資源が存在するか否かを示す。
【００４４】
ステップ５４２及び５４３で、前記ＲＮＣ５１１は、前記ＭＢＭＳサービスを支援できないＦＡに含まれているＵＥ５０２，５０３に対して通報メッセージを伝送する。ステップ５４２及び５４３の通報メッセージには、前記ステップ５４１の通報メッセージに含まれている情報に、前記ＭＢＭＳサービスを受信するためのセル再選択情報がさらに含まれる。すなわち、ステップ５４２及び５４３の通報メッセージに含まれている情報は、ステップ５４１の通報メッセージに含まれている情報とは異なる。
【００４５】
ここで、前記セル再選択情報は、前記ＭＢＭＳサービスを支援できないＦＡに含まれているＵＥ５０２，５０３が、前記ＭＢＭＳサービスの受信を可能にする付加情報である。さらに、前記セル再選択情報には周波数情報、セル識別子及びセル情報などが含まれる。前記周波数情報、セル識別子及びセル情報は可変情報で、上述したように、ステップ５４１の通報メッセージには含まれない情報である。
【００４６】
前記周波数情報は、上りリンクＵＴＲＡ絶対無線周波数チャンネル番号(ＵＡＲＦＣＮ;UTRA Absolute Radio Frequency Channel Number)と、下りリンクＵＡＲＦＣＮとで構成される。
【００４７】
前記セル識別子は、前記ＭＢＭＳサービスを支援する周波数に相当するセルの識別子を示す。
【００４８】
前記セル情報は、前記ＭＢＭＳサービスを支援するＦＡに対するＰ-ＣＰＩＣＨのプライマリースクランブリングコード(primary scrambling code)を示す。
【００４９】
さらに、ステップ５４１，５４２，５４３で、通報メッセージの伝送は、使用者端末の選択に応じて優先順位が変わることがある。すなわち、ステップ５４２、ステップ５４３を行った後に、ステップ５４１を行える。
【００５０】
ステップ５５１で、前記ＭＢＭＳサービスを支援できないか、あるいは、支援しないＦＡに含まれているＵＥ５０２，５０３は、前記ステップ５４２,５４３から伝えられた前記セル再選択情報を用いて前記ＭＢＭＳサービスを支援できるＦＡの当該セルへ移動する。すなわち、前記通報メッセージに含まれているセル再選択情報を確認して、前記ＭＢＭＳサービスを支援するＦＡ５０１を再選択する。前記セル再選択過程を行うことにより、前記ＵＥ５０２，５０３は、前記ＵＥ５０１で使用する無線資源と同じ無線資源を用いて前記ＲＮＣ５１１から伝えられる前記ＭＢＭＳサービスを受けるようになる。
【００５１】
ステップ５４２,５４３で、前記通報メッセージに含まれているサービス識別子と、前記ＵＥ５０２，５０３が加入したサービス識別子とが同じでない場合、ステップ５５１を行う必要はない。
【００５２】
前記ＲＮＣ５１１は、ステップ５６１で、前記ＭＢＭＳサービスを支援するＦＡ５０１の各セルのチャンネルの種類を判定するために、前記ＭＢＭＳサービスを受信しようとするＵＥの数を把握し、当該セルの無線チャンネルの種類を決定することができる。すなわち、前記ＲＮＣ５１１は、前記ＭＢＭＳサービスを支援する再選択されたＦＡ５０１を有する前記ＵＥ５０２，５０３が含まれているセル内のＵＥの数をカウントし、前記セルの無線チャンネルの種類を決定する。前記特定のセルで多数のＵＥがＭＢＭＳサービスを受けようとする場合、共通チャンネルを介してＭＢＭＳサービスを提供し、前記ＭＢＭＳサービスを受けようとするＵＥの数がわずかである場合は、各ＵＥごとに専用チャンネルを構成して前記ＭＢＭＳサービスを提供する。ステップ５６１はステップ５３１の以後に行われることもできる。
【００５３】
ステップ５７１で、前記ＲＮＣ５１１はＭＣＣＨを通して前記決定された無線ベアラー情報を伝送して前記無線ベアラー設定過程を行う。前記無線ベアラー設定過程は、前記ＭＢＭＳサービスを提供するために決定された前記無線チャンネルを実際に割当て、前記無線チャンネルに関する情報を関連装置に知らせる過程である。
【００５４】
ステップ５８１で、前記ＭＢＭＳサービスを支援する前記ＦＡ５０１のセルに位置するＵＥは、ステップ５７１で設定されたＭＢＭＳ無線チャンネルを通して前記ＲＮＣ５１１が伝送した前記ＭＢＭＳサービスを受信する。
【００５５】
上述したように、前記ＲＮＣ５１１は、前記ＳＧＳＮ５２１から前記ＵＥ５０１〜５０３が要請した前記ＭＢＭＳサービスの開始を知らせるセッション開始メッセージを受信した後に、前記ＭＢＭＳサービスを支援できないか、支援しないＦＡに含まれているＵＥ５０２，５０３に、前記ＭＢＭＳサービスＩＤと、ＭＢＭＳのためのセル再選択情報とを含む通報メッセージを伝送する。したがって、前記通報メッセージを受信したＵＥ５０２，５０３は、前記通報メッセージに含まれている情報を用いて、前記ＭＢＭＳサービスが提供されるＦＡを再選択し、前記ＭＢＭＳサービスを受信する。
【００５６】
図６は、本発明の実施形態に応じて通報メッセージを伝送するＲＮＣの動作を示している。ステップ６０１で、ＲＮＣは、ＳＧＳＮから前記ＲＮＣの制御下に存在する多数のＦＡに位置した任意のＵＥが要請した特定のＭＢＭＳサービスの即時開始を知らせるセッション開始メッセージを受信する。ここで、前記ＲＮＣは前記ＭＢＭＳサービスを支援するＦＡと、前記ＭＢＭＳサービスを支援できないＦＡとを制御する。したがって、前記ＲＮＣは、前記ＭＢＭＳサービスと関連して前記ＦＡに伝送するための通報メッセージを区分して設定する。
【００５７】
ステップ６０２で、前記ＲＮＣは、前記ＭＢＭＳサービスと関連して前記ＭＢＭＳサービスを支援するＦＡに含まれているＵＥと、前記ＭＢＭＳサービスを支援できないＦＡに含まれているＵＥとに伝送すべき共通情報を設定する。この際、前記共通情報には、前記ＭＢＭＳサービスＩＤ、ＮＳＡ／ＳＡ識別子及び資源可用性識別子などが含まれる。
【００５８】
この際、前記通報メッセージが前記ＭＢＭＳサービスを支援するＦＡに伝送されれば、前記ＮＳＡ/ＳＡ識別子はＳＡに設定され、前記通報メッセージが前記ＭＢＭＳサービスを支援しないＦＡに伝送されれば、前記ＮＳＡ/ＳＡ識別子はＮＳＡに設定される。
【００５９】
ステップ６１１で、前記ＲＮＣは、前記通報メッセージが前記ＭＢＭＳサービスを支援するＦＡのためのメッセージであるか、前記ＭＢＭＳサービスを支援しないＦＡのためのメッセージであるかを確認する。この際、前記ＲＮＣは前記通報メッセージのＮＳＡ/ＳＡ識別子を確認する。
【００６０】
その確認の結果、前記通報メッセージが前記ＭＢＭＳサービスを支援しないＦＡのための通報メッセージ、すなわち、ＮＳＡに設定されていると、ステップ６１２へ進む。しかしながら、前記通報メッセージが前記ＭＢＭＳサービスを支援するＦＡのための通報メッセージ、すなわち、ＳＡに設定される場合はステップ６１３へ進む。
【００６１】
ステップ６１２で、前記ＲＮＣは、ステップ６０２で設定した前記ＭＢＭＳサービスＩＤを含む前記通報メッセージに、前記ＭＢＭＳサービスを受信するためのセル再選択情報を加える。すなわち、前記ＲＮＣは、前記ＭＢＭＳサービスを支援しないＦＡのための通報メッセージの中に、前記ＭＢＭＳサービスを支援するＦＡの周波数情報、セル識別子及びセル情報をさらに含める。
【００６２】
ステップ６１３で、前記ＲＮＣは、ステップ６０２またはステップ６１２で当該ＦＡに設定した通報メッセージを伝送する。
【００６３】
図６において、前記ＲＮＣは前記ＭＢＭＳサービスを支援するＦＡと、前記ＭＢＭＳサービスを支援しないＦＡとに共通伝送すべき情報を設定した後に、前記ＭＢＭＳサービスを支援しないＦＡに対してはセル再選択情報を加える。すなわち、前記ＲＮＣは、前記通報メッセージを伝送すべきＦＡが、前記ＭＢＭＳサービスを支援するＦＡであるか、あるいは、前記ＭＢＭＳサービスを支援しないＦＡであるかを判断する。ここで、前記判断は前記通報メッセージに設定するＮＳＡ/ＳＡ識別子の設定有無によって決定される。その判断の結果、前記通報メッセージが前記ＭＢＭＳサービスを支援するＦＡ、すなわち、ＳＡに設定されると仮定すれば、ステップ６０２の情報を含む通知メッセージを設定する。しかしながら、前記通報メッセージが前記ＭＢＭＳサービスを支援しないＦＡ、すなわち、ＮＳＡに設定されると仮定すれば、ステップ６０２，６１２の全ての情報を含む通知メッセージを設定する。この際、ステップ６０２，６１２は一つのステップとして行うこともできる。
【００６４】
上述したように、本発明において、ＲＮＣは前記通報メッセージを伝送するＦＡの特性に応じて、前記通報メッセージに含まれる情報を異なる情報に設定すると共に、その情報を伝送することができる。
【００６５】
図７は、本発明の実施形態による使用者端末における動作を示している。より詳しくは、図７は、図６でＲＮＣが伝送した通報メッセージを受信した後に、本発明によるＭＢＭＳサービスを支援しないＦＡに含まれているＵＥが、ＭＢＭＳサービスを受けるためにセル再選択を行う過程を示している。
【００６６】
図７を参照すれば、ステップ７０１で、ＵＥはＲＮＣから自分で加入したＭＢＭＳサービスと関連した通報メッセージを受信する。この際、前記ＵＥは、前記通報メッセージに含まれているＭＢＭＳサービスＩＤを用いて、前記ＭＢＭＳサービスが自分で要請したＭＢＭＳサービスであるかどうかを判断する。以下、本発明と関連して前記通報メッセージに含まれているＭＢＭＳサービス識別子が前記ＵＥで要請したＭＢＭＳサービス識別子と同じ場合のみについて説明し、その詳細説明は省略する。
【００６７】
ステップ７０２で、前記ＵＥは前記通報メッセージに設定されている情報を分析する。特に、前記ＵＥは、前記設定されている情報のうち、ＮＳＡ/ＳＡ識別子を確認して前記ＵＥの位置したＦＡが前記ＭＢＭＳサービスを支援するＦＡであるか、前記ＭＢＭＳサービスを支援しないＦＡであるかを確認する。その判断の結果、前記ＮＳＡ/ＳＡ識別子がＳＡに設定されている場合、すなわち、前記ＵＥの位置するＦＡが前記ＭＢＭＳサービスを支援するＦＡであれば、ステップ７１３へ進む。しかしながら、前記ＮＳＡ/ＳＡ識別子がＮＳＡに設定されている場合、すなわち、前記ＵＥの位置するＦＡが前記ＭＢＭＳサービスを支援しないＦＡであれば、ステップ７１１へ進む。
【００６８】
ステップ７１１で、前記ＵＥは受信された前記通報メッセージにセル再選択情報が含まれているかどうかを判断する。前記セル再選択情報は、前記ＭＢＭＳサービスを支援しないＦＡに含まれている前記ＵＥが、前記ＭＢＭＳサービスを受信するために前記ＭＢＭＳサービスを支援するＦＡへ移動するための情報を含む。すなわち、前記ＵＥは、前記通知メッセージに前記ＭＢＭＳサービスを支援するＦＡの周波数情報、セル識別子及びセル情報が含まれているかどうかを確認する。
【００６９】
前記受信された通報メッセージにセル再選択情報が含まれている場合、ステップ７１２へ進む。しかしながら、前記セル再選択情報が含まれていなければ、ステップ７１４へ進んでＭＢＭＳサービス関連情報を再び要求する。前記ＭＢＭＳサービス関連情報は、セル再選択情報を要求する内容、あるいは、前記伝送された通報メッセージに前記セル再選択情報が存在しないことを知らせる動作を含むことができる。
【００７０】
ステップ７１２で、前記ＵＥは、通報メッセージに含まれているセル再選択情報を用いて、前記ＭＢＭＳサービスを支援するＦＡに対する情報を得る。前記ＵＥは、獲得情報を用いて、前記ＭＢＭＳサービスを支援するＦＡへセルの移動を行う。すなわち、ＭＢＭＳサービスを支援するＦＡの周波数情報、前記セル識別子及び前記セル情報を用いて前記ＭＢＭＳサービスを受信するようにセルを再選択する。
【００７１】
上述した過程を行うことにより、前記ＭＢＭＳサービスを支援しないＦＡに含まれているＵＥは、前記ＲＮＣから伝えられる前記ＭＢＭＳサービスを受けることができる。すなわち、ステップ７１３で、前記ＵＥは、前記ＲＮＣへ前記通報メッセージに対する応答メッセージを伝送する。前記ＵＥは、前記ＭＢＭＳサービスを支援するＦＡに使用される無線情報を用いて、前記ＲＮＣから伝送されるＭＢＭＳサービスを受ける。
【００７２】
以上、本発明の詳細について具体的な実施の形態に基づき説明してきたが、本発明の範囲を逸脱しない限り、各種の変形が可能なのは明らかである。従って、本発明の範囲は、前記実施の形態に限定されるものではなく、特許請求の範囲の記載及び該記載と同等なものにより定められるべきである。
【図面の簡単な説明】
【００７３】
【図１】一般的な移動通信システムの構造を示した図である。
【図２】ＭＢＭＳシステムの構造を示した図である。
【図３】ＭＢＭＳサービスを支援する移動通信システムの各ノード間の動作を示した図である。
【図４】一つの領域に複数のセルが重畳されていることを示した図である。
【図５】本発明によるＭＢＭＳサービスを支援する移動通信システムの各ノード間の動作を示した図である。
【図６】本発明によるＭＢＭＳサービスを支援する無線網制御器における動作を示した図である。
【図７】本発明によるＭＢＭＳサービスを受ける使用者端末における動作を示した図である。
【符号の説明】
【００７４】
１００    コアネットワーク(ＣＮ:Core Network)
１１０，１２０    無線ネットワークサブシステム(ＲＮＳ:Radio Network Subsystem)
１３０    使用者端末(ＵＥ:User Element)
１１１、１１２    無線ネットワーク制御器(ＲＮＣ:Radio Network Controller)
１１３、１１４、１１５、１１６    基地局(Node B)
２１０    マルチキャスト/放送-サービスセンター(ＢＭ-ＳＣ;Broadcast/Multicast-Service Center)
２２０    伝送ネットワーク
２３０    サービスパケット無線サービス支援ノード(ＳＧＳＮ;Serving GPRS Support Node)
２４０    無線ネットワーク制御器(ＲＮＣ)
２６０    セル１(Node B1)
２６１、２６２、２６３    ＵＥ
２７０    セル２(Node B2)
２７１、２７２    ＵＥ
３００    ＵＥ
３０２    ＲＮＣ
３０４    ＳＧＳＮ
４０１〜４０４    ＦＡ
５０１    ＭＢＭＳサービスを支援できるＦＡと該ＦＡに含まれているＵＥ
５０２，５０３    ＭＢＭＳサービスを支援できないＦＡと該ＦＡに含まれているＵＥ
【図１】
2007500469.tif 000003
【図２】
2007500469.tif 000004
【図３】
2007500469.tif 000005
【図４】
2007500469.tif 000006
【図５】
2007500469.tif 000007
【図６】
2007500469.tif 000008
【図７】
2007500469.tif 000009
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
同じ領域でＭＢＭＳを支援する少なくとも一つのセルと、前記ＭＢＭＳを支援しない少なくとも一つのセルとを備える移動通信システムで、無線網制御器が、前記ＭＢＭＳを支援しないセルに位置した使用者端末に対して、前記ＭＢＭＳを受信するように無線資源を割当てる方法であって、
無線網制御器が、前記使用者端末に対して、前記ＭＢＭＳを支援するセルのサービス支援有無を示す識別情報を通報するステップと、
前記使用者端末が要請した特定のＭＢＭＳサービスに対応して前記ＭＢＭＳを支援するセルの周波数情報を含むセル再選択情報を通報するステップと、
前記使用者端末が、通報された前記セル再選択情報に応じて、前記ＭＢＭＳを支援するセルへ移動した後に、前記ＭＢＭＳを支援するセルの無線資源を通してＭＢＭＳデータを受信するステップと、
を備えることを特徴とする方法。
【請求項２】
前記セル再選択情報は、前記パケットデータサービスを支援する新たなセルの識別子をさらに含むことを特徴とする請求項１に記載の方法。
【請求項３】
前記セル再選択情報は、前記パケットデータサービスを支援する新たなセルに関する情報をさらに含むことを特徴とする請求項１に記載の方法。
【請求項４】
移動通信システムでＭＢＭＳを支援しないセルに位置する使用者端末が特定のＭＢＭＳに対応するデータを受信する方法であって、
前記使用者端末が、無線網制御器から要請した特定のＭＢＭＳに対応する通報メッセージを受信するステップと、
前記通報メッセージから前記パケットデータサービスを支援する新たなセルへ移動するためのセル再選択情報を確認するステップと、
前記セル再選択情報に応じて前記ＭＢＭＳを支援する新たなセルに移動し、前記セルに割当てられた無線資源を通してＭＢＭＳデータを受信するステップと、
を備えることを特徴とする方法。
【請求項５】
前記使用者端末が前記通報メッセージから前記セル再選択情報を確認した後に、前記セル再選択情報が存在しなければ、前記無線網制御器に前記セル再選択情報の再伝送を要求するステップをさらに含むことを特徴とする請求項４に記載の方法。 
【請求項６】
前記使用者端末は、前記通報メッセージに含まれている周波数情報を用いて前記ＭＢＭＳを提供する新たなセルへ移動するためのセル再選択を行うことを特徴とする請求項４に記載の方法。
【請求項７】
前記使用者端末は、前記通報メッセージに含まれているセル識別子を用いて前記ＭＢＭＳを提供する新たなセルへ移動するためのセル再選択を行うことを特徴とする請求項４に記載の方法。
【請求項８】
前記使用者端末は、前記通報メッセージに含まれているセル関連情報を用いて前記ＭＢＭＳを提供する新たなセルへ移動するためのセル再選択を行うことを特徴とする請求項４に記載の方法。
【請求項９】
移動通信システムでＭＢＭＳ(Multimedia Broadcast/Multicast Service)サービスを支援しない周波数領域(ＦＡ)に位置した使用者端末が、前記ＭＢＭＳサービスを受信する方法であって、
無線網制御器から通知メッセージを受信するステップと、
前記通知メッセージに含まれているＭＢＭＳサービス識別子(ＩＤ)を確認するステップと、
前記通知メッセージが、前記使用者端末で要請したＭＢＭＳサービスに対する通知メッセージであるかどうかを判定するステップと、
前記通知メッセージが前記使用者端末で要請したＭＢＭＳサービスに対する通知メッセージであれば、前記通知メッセージから前記ＭＢＭＳを支援するセルのサービス支援有無を示す識別情報を確認するステップと、
前記ＭＢＭＳサービスを支援する周波数領域を再選択するための情報を確認するステップと、
前記使用者端末が前記通報されたセル再選択情報に応じて前記ＭＢＭＳを支援するセルへ移動した後に、前記ＭＢＭＳを支援するセルの無線資源を通してＭＢＭＳデータを受信するステップと、
を備えることを特徴とする方法。
【請求項１０】
前記通知メッセージは、前記ＭＢＭＳサービスを支援する周波数領域を再選択するための情報であり、前記ＭＢＭＳサービスを支援する周波数領域の周波数情報、セル識別子及びセル専用情報を含むことを特徴とする請求項９に記載の方法。
【請求項１１】
前記周波数情報は、前記ＭＢＭＳサービスを支援するための周波数領域の上りリンク及び下りリンクのチャンネル情報を含むことを特徴とする請求項１０に記載の方法。
【請求項１２】
前記セル識別子は、前記ＭＢＭＳサービスを支援するための周波数領域の当該セルを示す識別子情報であることを特徴とする請求項１０に記載の方法。
【請求項１３】
前記セル専用情報は、前記ＭＢＭＳサービスを支援する周波数領域のＰ-ＣＰＩＣＨ(primary common pilot channel)のプライマリースクランブリングコードを示す情報であることを特徴とする請求項１０に記載の方法。
【請求項１４】
移動通信システムで使用者端末にＭＢＭＳサービスを送信する方法であって、
無線網制御器でコアネットワークからＭＢＭＳサービスの開始を知らせるセッション開始メッセージを受信するステップと、
前記使用者端末の位置する周波数領域(ＦＡ)が前記ＭＢＭＳサービスを支援するかどうかを判断するステップと、
前記使用者端末が前記ＭＢＭＳサービスを支援しない周波数領域に位置する場合、前記使用者端末が特定の周波数で前記ＭＢＭＳサービスを支援する周波数領域へ移動するのに用いられるセル再選択情報を含む通知メッセージを、前記使用者端末に伝送するステップと、
前記使用者端末が前記通知メッセージに応じて前記特定の周波数でＭＢＭＳサービスを支援する周波数領域へ移動して前記サービス領域の無線資源を通して前記ＭＢＭＳサービスを受信するステップと、
を備えることを特徴とする方法。
【請求項１５】
前記通知メッセージは、前記使用者端末の位置する周波数領域が前記ＭＢＭＳサービスを支援するかどうかを示す識別子をさらに含むことを特徴とする請求項１４に記載の方法。
【請求項１６】
前記通知メッセージは、前記ＭＢＭＳサービスを支援する周波数領域を再選択するための前記セル再選択情報であり、周波数情報、セル識別子及びセル専用情報を含むことを特徴とする請求項１４に記載の方法。
【国際調査報告】
2007500469.tif 000010
2007500469.tif 000011